(57)【要約】    【課題】印刷ドラム自体が記憶手段を備えていなくても、印刷ドラムに関する「使用情報」を保持して作動の制御に利用できる、孔版印刷装置を、提供すること。    【解決手段】ＲＦタグ７１付きインク容器７０を有する印刷ドラム３１が交換可能に装填されるようになっている装置本体１０、を有する孔版印刷装置１において、装置本体１０は、印刷ドラム３１が装填されると作動する第１制御部８１を有しており、第１制御部８１は、ＲＦタグ７１の固有情報を、リーダ３１３を介して、取り込む、第１固有情報取り込み部８１１と、取り込んだ固有情報を、記憶部９２に記憶させる、第１記憶実行部８１２と、印刷ドラム３１に関するドラム情報を取り込む、ドラム情報取り込み部８１３と、取り込んだドラム情報を、第１記憶実行部８１２によって記憶された固有情報２０１に関連付けて、記憶部９２に記憶させる、第２記憶実行部８１４と、を有している。【選択図】図７
2015217661.tif 000002
【特許請求の範囲】
【請求項１】
ＲＦタグ付きインク容器を有する印刷ドラムが交換可能に装填されるようになっている装置本体、を有する孔版印刷装置において、
装置本体は、印刷ドラムが装填されると作動する第１制御部を有しており、
第１制御部は、
印刷ドラムのインク容器のＲＦタグの固有情報を、印刷ドラムに設けられているリーダを介して、取り込む、第１固有情報取り込み部と、
取り込んだ固有情報を、装置本体に設けられている記憶部に、記憶させる、第１記憶実行部と、
印刷ドラムに関するドラム情報を取り込む、ドラム情報取り込み部と、
取り込んだドラム情報を、第１記憶実行部によって記憶された固有情報に関連付けて、記憶部に記憶させ又は更新記憶させる、第２記憶実行部と、
を有している、
ことを特徴とする孔版印刷装置。
【請求項２】
ドラム情報が、印刷ドラムのエラー情報であり、
エラー情報が、エラー有りを示す情報とエラー無しを示す情報とを、含んでおり、
装置本体は、印刷ドラムが装填されると、第１制御部より先に作動する第２制御部を、有しており、
第２制御部は、
印刷ドラムのインク容器のＲＦタグの固有情報を、印刷ドラムに設けられているリーダを介して、取り込む、第２固有情報取り込み部と、
取り込んだ固有情報と同じ固有情報が記憶部に記憶されているか否かを判定する、第１固有情報判定部と、
第１固有情報判定部の判定結果が「記憶されている」である場合に、当該固有情報に関連付けられたエラー情報の内のエラー有りを示す情報が記憶部に記憶されているか否かを判定する、エラー情報判定部と、
エラー情報判定部の判定結果が「記憶されている」である場合に、装置本体の駆動源を停止し又は警告を発する警告部を作動させる、第１停止・警告部と、
を有している、
請求項１記載の孔版印刷装置。
【請求項３】
ドラム情報が、印刷ドラムに巻装されている製版原紙に形成された画像のサイズ情報であり、
装置本体は、印刷ドラムが装填されると、第１制御部より先に作動する第３制御部を、有しており、
第３制御部は、
印刷ドラムのインク容器のＲＦタグの固有情報を、印刷ドラムに設けられているリーダを介して、取り込む、第３固有情報取り込み部と、
取り込んだ固有情報と同じ固有情報が記憶部に記憶されているか否かを判定する、第２固有情報判定部と、
第２固有情報判定部の判定結果が「記憶されている」である場合に、当該固有情報に関連付けられたサイズ情報が記憶部に記憶されているか否かを判定する、サイズ情報判定部と、
サイズ情報判定部の判定結果が「記憶されている」であり、且つ、印刷開始の指示入力を受けた場合に、サイズ情報に基づく製版原紙に形成された画像のサイズと使用される印刷用紙のサイズとを比較する、サイズ比較部と、
サイズ比較部の比較結果が、製版原紙に形成された画像のサイズが印刷用紙のサイズより大きい場合に、装置本体の駆動源を停止し又は警告を発する警告部を作動させる、第２停止・警告部と、
を有している、
請求項１記載の孔版印刷装置。
【請求項４】
ＲＦタグ付きインク容器を有する印刷ドラムが交換可能に装填されるようになっている装置本体、を有する孔版印刷装置において、
装置本体は、印刷ドラムが装填されると作動する第４制御部を有しており、
第４制御部は、
印刷ドラムのインク容器のＲＦタグに記憶されているインク色情報を、印刷ドラムに設けられているリーダを介して、取り込む、第１色情報取り込み部と、
取り込んだインク色情報を、装置本体に設けられている記憶部に、最新のインク色情報として記憶させる、第３記憶実行部と、
を有しており、
更に、装置本体は、装置本体の電源がオンの状態において、装填されている印刷ドラムのインク容器が別のインク容器に交換されると作動する、第５制御部を、有しており、
第５制御部は、
交換された別のインク容器のＲＦタグに記憶されているインク色情報を、印刷ドラムに設けられているリーダを介して、取り込む、第２色情報取り込み部と、
取り込んだインク色情報が記憶部の最新のインク色情報と一致するか否かを判定する、インク色判定部と、
インク色判定部の判定結果が「不一致」である場合に、装置本体の駆動源を停止し又は警告を発する警告部を作動させる、第３停止・警告部と、
を有している、
ことを特徴とする孔版印刷装置。
【発明の詳細な説明】
【技術分野】
【０００１】
本発明は、ＲＦタグ付きインク容器を有する印刷ドラムが交換可能に装填されるようになっている装置本体、を有する孔版印刷装置に関する。
【背景技術】
【０００２】
孔版印刷装置においては、通常は、１個の印刷ドラムに、１種類のインク色を有するインク容器が、セットされるようになっている。そして、従来の孔版印刷装置においては、インク容器に収容されているインクに関するインク色情報が、インク容器に設けられている記憶手段に、記憶されている。更には、印刷ドラムに関するドラム情報が、印刷ドラムに設けられている記憶手段に、記憶されている。ドラム情報としては、例えば、印刷ドラムに巻装されている製版原紙に形成された画像のサイズ情報、印刷ドラムにセットされているインク色情報、印刷ドラムのエラー情報等がある。そして、これらの記憶手段に記憶された情報は、孔版印刷装置の作動の制御に利用されている。
【先行技術文献】
【特許文献】
【０００３】
【特許文献１】特開２００２−４６３３４号公報
【特許文献２】特開平１１−２０２８９号公報
【特許文献３】特開２００４−２５５７６８号公報
【発明の概要】
【発明が解決しようとする課題】
【０００４】
ところで、従来の孔版印刷装置においては、記憶手段を備えた印刷ドラムを使用する場合には問題はないが、記憶手段を備えていない印刷ドラムを使用する場合には、次のような問題があった。
（ａ）印刷ドラムにドラム情報が付随していないので、装填した印刷ドラムのドラム情報を、孔版印刷装置の作動の制御に利用することができず、したがって、正常な印刷作業を実施できない。
（ｂ）インク容器を交換した場合に、新たにセットされたインク容器中のインク色が、交換されるまで印刷ドラムにセットされていたインク色に、合致するか否か、の判断ができず、誤った色のインクを用いて印刷作業を実施する恐れがある。
【０００５】
本発明は、記憶手段を備えていない印刷ドラムを用いても、上記問題が生じない、孔版印刷装置を、提供することを目的とする。
【課題を解決するための手段】
【０００６】
本発明の第１態様は、ＲＦタグ付きインク容器を有する印刷ドラムが交換可能に装填されるようになっている装置本体、を有する孔版印刷装置において、装置本体は、印刷ドラムが装填されると作動する第１制御部を有しており、第１制御部は、印刷ドラムのインク容器のＲＦタグの固有情報を、印刷ドラムに設けられているリーダを介して、取り込む、第１固有情報取り込み部と、取り込んだ固有情報を、装置本体に設けられている記憶部に、記憶させる、第１記憶実行部と、印刷ドラムに関するドラム情報を取り込む、ドラム情報取り込み部と、取り込んだドラム情報を、第１記憶実行部によって記憶された固有情報に関連付けて、記憶部に記憶させ又は更新記憶させる、第２記憶実行部と、を有している、ことを特徴としている。
【０００７】
前記第１態様は、更に、次の構成（ａ）及び／又は（ｂ）を採用するのが好ましい。
【０００８】
（ａ）ドラム情報が、印刷ドラムのエラー情報であり、エラー情報が、エラー有りを示す情報とエラー無しを示す情報とを、含んでおり、装置本体は、印刷ドラムが装填されると、第１制御部より先に作動する第２制御部を、有しており、第２制御部は、印刷ドラムのインク容器のＲＦタグの固有情報を、印刷ドラムに設けられているリーダを介して、取り込む、第２固有情報取り込み部と、取り込んだ固有情報と同じ固有情報が記憶部に記憶されているか否かを判定する、第１固有情報判定部と、第１固有情報判定部の判定結果が「記憶されている」である場合に、当該固有情報に関連付けられたエラー情報の内のエラー有りを示す情報が記憶部に記憶されているか否かを判定する、エラー情報判定部と、エラー情報判定部の判定結果が「記憶されている」である場合に、装置本体の駆動源を停止し又は警告を発する警告部を作動させる、第１停止・警告部と、を有している。
【０００９】
（ｂ）ドラム情報が、印刷ドラムに巻装されている製版原紙に形成された画像のサイズ情報であり、装置本体は、印刷ドラムが装填されると、第１制御部より先に作動する第３制御部を、有しており、第３制御部は、印刷ドラムのインク容器のＲＦタグの固有情報を、印刷ドラムに設けられているリーダを介して、取り込む、第３固有情報取り込み部と、取り込んだ固有情報と同じ固有情報が記憶部に記憶されているか否かを判定する、第２固有情報判定部と、第２固有情報判定部の判定結果が「記憶されている」である場合に、当該固有情報に関連付けられたサイズ情報が記憶部に記憶されているか否かを判定する、サイズ情報判定部と、サイズ情報判定部の判定結果が「記憶されている」であり、且つ、印刷開始の指示入力を受けた場合に、サイズ情報に基づく製版原紙に形成された画像のサイズと使用される印刷用紙のサイズとを比較する、サイズ比較部と、サイズ比較部の比較結果が、製版原紙に形成された画像のサイズが印刷用紙のサイズより大きい場合に、装置本体の駆動源を停止し又は警告を発する警告部を作動させる、第２停止・警告部と、を有している。
【００１０】
本発明の第２態様は、ＲＦタグ付きインク容器を有する印刷ドラムが交換可能に装填されるようになっている装置本体、を有する孔版印刷装置において、装置本体は、印刷ドラムが装填されると作動する第４制御部を有しており、第４制御部は、印刷ドラムのインク容器のＲＦタグに記憶されているインク色情報を、印刷ドラムに設けられているリーダを介して、取り込む、第１色情報取り込み部と、取り込んだインク色情報を、装置本体に設けられている記憶部に、最新のインク色情報として記憶させる、第３記憶実行部と、を有しており、更に、装置本体は、装置本体の電源がオンの状態において、装填されている印刷ドラムのインク容器が別のインク容器に交換されると作動する、第５制御部を、有しており、第５制御部は、交換された別のインク容器のＲＦタグに記憶されているインク色情報を、印刷ドラムに設けられているリーダを介して、取り込む、第２色情報取り込み部と、取り込んだインク色情報が記憶部の最新のインク色情報と一致するか否かを判定する、インク色判定部と、インク色判定部の判定結果が「不一致」である場合に、装置本体の駆動源を停止し又は警告を発する警告部を作動させる、第３停止・警告部と、を有している、ことを特徴としている。
【発明の効果】
【００１１】
前記第１態様の孔版印刷装置によれば、次のような効果を発揮できる。
（１）印刷ドラムが装置本体に装填されると、必ず、第１制御部が作動して、印刷ドラムのインク容器のＲＦタグの固有情報と、印刷ドラムに関するドラム情報とを、装置本体の記憶部に記憶できるので、印刷ドラム自体が記憶手段を備えていなくても、印刷ドラムに関するドラム情報を保持でき、よって、そのドラム情報を孔版印刷装置の作動の制御に利用できる。
【００１２】
（２）印刷ドラムが別の種類の印刷ドラムに交換された場合でも、必ず、第１制御部が作動するので、当該別の種類の印刷ドラムに関するドラム情報を保持できる。
【００１３】
前記構成（ａ）によれば、同じ種類の印刷ドラムが、装置本体から取り外された後に再度装填された場合であって、インク容器が交換されていない場合において、取り外す前の印刷ドラムにエラーが有った場合には、操作者は、再度装填した印刷ドラムにもエラーが有ることを知ることができる。よって、エラーを解消するための作業を行って、その後に、印刷作業を実施できる。したがって、印刷作業における不具合の継続発生を防止できる。
【００１４】
前記構成（ｂ）によれば、同じ種類の印刷ドラムが、装置本体から取り外された後に再度装填された場合であって、インク容器が交換されていない場合において、操作者は、印刷用紙が不適切なサイズの印刷用紙であることを、知ることができる。したがって、印刷用紙上に塗布されなかったインクによって印刷部が汚れてしまうのを、防止できる。
【００１５】
前記第２態様の孔版印刷装置によれば、次のような効果を発揮できる。
（１）印刷ドラムが装置本体に装填されると、必ず、第４制御部が作動して、印刷ドラムのインク容器のＲＦタグのインク色情報を、装置本体の記憶部に「最新のインク色情報」として記憶できるので、印刷ドラム自体が記憶手段を備えていなくても、印刷ドラムに関する「インク色情報」を保持でき、よって、その「インク色情報」を孔版印刷装置の作動の制御に利用できる。
【００１６】
（２）装置本体の電源がオンの状態であり且つ印刷ドラムが装填されたままの状態において、インク容器を別のインク容器に交換すると、第３停止・警告部が作動して、装置本体の駆動源が停止し又は警告を発する警告部が作動するので、操作者は、インク容器の間違いに気付くことができる。したがって、間違ったインク容器を正しいインク容器に変えることができ、ミスプリントの発生を防止できる。
【図面の簡単な説明】
【００１７】
【図１】本発明の第１実施形態による孔版印刷装置の模式縦断面図である。
【図２】装置本体から印刷ドラムを取り外す様子を示す斜視部分図である。
【図３】図２に続く様子を示す斜視部分図である。
【図４】インク容器の斜視図である。
【図５】インク容器を交換する様子を示す斜視部分図である。
【図６】図５に続く様子を示す斜視部分図である。
【図７】第１実施形態の孔版印刷装置の装置本体の内部構造のブロック図である。
【図８】第２実施形態の孔版印刷装置の装置本体の内部構造のブロック図である。
【図９】第３実施形態の孔版印刷装置の装置本体の内部構造のブロック図である。
【発明を実施するための形態】
【００１８】
［第１実施形態］
（全体構成）
図１は、本発明の第１実施形態による孔版印刷装置の模式縦断面図である。この孔版印刷装置１は、製版部２、印刷部３、給紙部４、排紙部５、及び排版部６を、有する、装置本体１０を、有している。孔版印刷装置１においては、孔版原紙１００が、ロール１１から供給され、製版部２においてサーマルヘッド２１により加熱穿孔されることによって製版され、印刷部３へ給版される。給版されてきた製版原紙１１０は、クランプ装置（図示せず）によって挟持されて、印刷ドラム３１に巻装される。一方、印刷用紙１１１が、給紙部４によって印刷部３へ給紙される。そして、印刷部３では、押圧手段であるプレスローラ３２によって印刷用紙１１１がローラ３３に押し付けられ、製版原紙１１０に基づいた印刷が行われる。印刷終了後、印刷された用紙１１１は、排紙部５の排紙台５１へ送られ、印刷に使用された製版原紙（すなわち排版原紙）１１０は、排版部６によって印刷ドラム３１から剥ぎ取られて巻芯６３に巻き取られる。
【００１９】
（印刷ドラム）
孔版印刷装置１において、印刷ドラム３１は、装置本体１０に対して、交換可能に装填されるようになっている。印刷ドラム３１は、図２に示されるように、装置本体１０の前面の扉１２１を開き、且つ、図３に示されるように、ドラム解除レバー３１１及び取っ手３１２を持って引き出すことによって、装置本体１０から取り出すことができるようになっており、また、印刷ドラム３１は、その逆を行うことによって、装置本体１０に装填できるようになっている。
【００２０】
なお、孔版印刷装置１は、２種類以上の印刷ドラム３１を有している場合があり、用途に応じて、印刷ドラム３１を交換して使用するようになっている。ここで、印刷ドラム３１の種類とは、例えば、使用するインク色の種類を言う。
【００２１】
印刷ドラム３１は、図４に示されるような、ＲＦタグ７１が貼り付けられたインク容器７０を有している。インク容器７０は、印刷ドラム３１が装置本体１０に装填されている状態でも、交換可能に、設けられている。すなわち、インク容器７０は、図５に示されるように、装置本体１０の前面の扉１２１を開き、且つ、図６に示されるように、印刷ドラム３１のポケット３２１から抜き出すことによって、印刷ドラム３１から取り外すことができるようになっており、また、インク容器７０は、その逆を行うことによって、印刷ドラム３１に取り付けることができるようになっている。
【００２２】
印刷ドラム３１は、更に、ＲＦタグ７１の固有情報を読み出すためのリーダ３１３（図７参照）を、有している。固有情報とは、ＲＦタグの製造時に書き込まれる固有の初期値からなる情報であり、すなわち、１個１個のＲＦタグに固有の情報であり、したがって、ＲＦタグが異なれば当然に異なるものである。
【００２３】
（装置本体の全体構成）
図７は、装置本体１０の内部構造のブロック図である。装置本体１０は、更に、各部２、３、４、５、６の作動を制御する制御部８を、有している。更に、装置本体１０は、操作者が作動のための指示を入力するための操作部９１と、作動のための種々の情報を記憶するための記憶部９２と、所定の場合に警告を発する警告部９３と、モータ等の駆動源９４と、駆動源９４に通じる電源のオンオフを切り替える電源スイッチ９５と、を有している。操作部９１は、入力内容や作動状態を表示するための液晶パネル等からなる表示部９１１を、有している。
【００２４】
（制御部）
制御部８は、第１制御部８１と第２制御部８２とを有している。
【００２５】
（１）第１制御部８１
第１制御部８１は、印刷ドラム３１が装置本体１０に装填されると作動するようになっている。そして、第１制御部８１は、印刷ドラム３１のインク容器７０のＲＦタグ７１の固有情報２０１を、リーダ３１３を介して、取り込む、第１固有情報取り込み部８１１と、取り込んだ固有情報２０１を、記憶部９２に記憶させる、第１記憶実行部８１２と、印刷ドラム３１に関するドラム情報を取り込む、ドラム情報取り込み部８１３と、取り込んだドラム情報を、第１記憶実行部８１２によって記憶された固有情報２０１に関連付けて、記憶部９２に記憶させる、第２記憶実行部８１４と、を有している。なお、本実施形態では、ドラム情報は、印刷ドラム３１のエラー情報２０２である。エラー情報２０２は、「エラー有り」を示す情報と「エラー無し」を示す情報とを、含んでいる。「エラー」の例としては、製版異常に起因して、(a)製版原紙が短い状態で印刷ドラム３１に巻装された場合、(b)製版画像が途中までしか形成されなかった場合、等がある。また、エラー情報２０２は、(x)操作部９１から入力された情報、(y)装置本体１０に設けられた各種センサー（図示せず）から得られた情報、等に基づいて決定される。
【００２６】
（２）第２制御部８２
第２制御部８２は、印刷ドラム３１が装填されると、第１制御部８１より先に作動するようになっている。そして、第２制御部８２は、印刷ドラム３１のインク容器７０のＲＦタグ７１の固有情報２０１を、リーダ３１３を介して、取り込む、第２固有情報取り込み部８２１と、取り込んだ固有情報２０１と同じ固有情報２０１が記憶部９２に記憶されているか否かを判定する、第１固有情報判定部８２２と、第１固有情報判定部８２２の判定結果が「記憶されている」である場合に、当該固有情報２０１に関連付けられたエラー情報２０２の内の「エラー有り」を示す情報が記憶部９２に記憶されているか否かを判定する、エラー情報判定部８２３と、エラー情報判定部８２３の判定結果が「記憶されている」である場合に、装置本体１０の駆動源９４を停止し又は警告を発する警告部９３を作動させる、第１停止・警告部８２４と、を有している。なお、第２固有情報取り込み部８２１は、第１固有情報取り込み部８１１と共有化してもよい。
【００２７】
（作動）
（１）第１の場合：初期状態における印刷ドラム３１の装填
初期状態の孔版印刷装置１において、装置本体１０に、第１種類の印刷ドラム３１が装填されると、まず、第２制御部８２が作動する。なお、「第１種類」は、例えば、インク色が黒色の場合を意味する。
【００２８】
すなわち、まず、第２固有情報取り込み部８２１が作動して、印刷ドラム３１のインク容器７０のＲＦタグ７１の固有情報２０１が、リーダ３１３を介して、取り込まれる。次に、第１固有情報判定部８２２が作動して、取り込まれた固有情報２０１と同じ固有情報２０１が記憶部９２に記憶されているか否かが判定される。しかるに、この際、孔版印刷装置１は初期状態であるので、記憶部９２には、固有情報２０１は未だ記憶されていない。したがって、判定結果は「記憶されていない」となる。よって、エラー情報判定部８２３及び第１停止・警告部８２４は作動しない。
【００２９】
次に、第１種類の印刷ドラム３１を用いて、通常の製版及び／又は印刷作業が実施される。
【００３０】
そして、第１制御部８１が作動する。すなわち、第１固有情報取り込み部８１１が作動して、印刷ドラム３１のインク容器７０のＲＦタグ７１の固有情報２０１が、リーダ３１３を介して、取り込まれる。次に、第１記憶実行部８１２が作動して、取り込まれた固有情報２０１が、記憶部９２に記憶される。次に、ドラム情報取り込み部８１３が作動して、印刷ドラム３１に関するドラム情報すなわちエラー情報２０２が取り込まれる。そして、第２記憶実行部８１４が作動して、取り込まれたエラー情報２０２が、第１記憶実行部８１２によって記憶された固有情報２０１に関連付けられて、記憶部９２に記憶される。これにより、記憶部９２においては、現在の装填されている第１種類の印刷ドラム３１に関する、固有情報２０１及びエラー情報２０２が、記憶される。なお、「エラー」が無い場合には、第２記憶実行部８１４が作動して、「エラー無し」とするエラー情報２０２が、記憶される。
【００３１】
（２）第２の場合：第１種類の印刷ドラム３１から第２種類の印刷ドラム３１への交換
「第２種類」は、例えば、インク色が赤色の場合を意味する。したがって、第１種類の印刷ドラム３１のインク容器７０と第２種類の印刷ドラム３１のインク容器７０とは、別物であるので、前者のインク容器７０のＲＦタグ７１の固有情報２０１と後者のインク容器７０のＲＦタグ７１の固有情報２０１とは、当然に、異なっている。図２及び図３に示されるような作業を経ることによって、第１種類の印刷ドラム３１を装置本体１０から取り出して、第２種類の印刷ドラム３１を装置本体１０に装填すると、まず、第２制御部８２が作動する。
【００３２】
すなわち、まず、第２固有情報取り込み部８２１が作動して、印刷ドラム３１のインク容器７０のＲＦタグ７１の固有情報２０１が、リーダ３１３を介して、取り込まれる。次に、第１固有情報判定部８２２が作動して、取り込まれた固有情報２０１と同じ固有情報２０１が記憶部９２に記憶されているか否かが判定される。しかるに、この際、記憶部９２に記憶されている固有情報２０１は、第１種類の印刷ドラム３１のＲＦタグ７１の固有情報２０１であるので、判定結果は「記憶されていない」となる。よって、エラー情報判定部８２３及び第１停止・警告部８２４は作動しない。
【００３３】
次に、第２種類の印刷ドラム３１を用いて、通常の製版及び／又は印刷作業が実施される。
【００３４】
そして、第１制御部８１が作動する。すなわち、第１固有情報取り込み部８１１が作動して、印刷ドラム３１のインク容器７０のＲＦタグ７１の固有情報２０１が、リーダ３１３を介して、取り込まれる。次に、第１記憶実行部８１２が作動して、取り込まれた固有情報２０１が、記憶部９２に記憶される。次に、ドラム情報取り込み部８１３が作動して、印刷ドラム３１に関するドラム情報すなわちエラー情報２０２が取り込まれる。そして、第２記憶実行部８１４が作動して、取り込まれたエラー情報２０２が、第１記憶実行部８１２によって記憶された固有情報２０１に関連付けられて、記憶部９２に記憶される。これにより、記憶部９２においては、現在の装填されている第２種類の印刷ドラム３１に関する、固有情報２０１及びエラー情報２０２が、記憶される。なお、「エラー」が無い場合には、第２記憶実行部８１４が作動して、「エラー無し」とするエラー情報２０２が、記憶される。また、交換前の第１種類の印刷ドラム３１に関する、固有情報２０１及びエラー情報２０２は、そのまま、記憶部９２に記憶されたままとなる。
【００３５】
（３）第３の場合：第２種類の印刷ドラム３１から第２種類の印刷ドラム３１への交換
例えば、第２種類の印刷ドラム３１を用いて印刷作業を実施し、その後、一旦、印刷ドラム３１を装置本体１０から取り外してメンテナンス作業等を行い、そして、再度、同じ第２種類の印刷ドラム３１を装置本体１０に装填して、印刷作業を実施することがある。本場合は、そのような場合を言う。但し、インク容器７０は交換しないこととする。図２及び図３に示されるような作業を経ることによって、第２種類の印刷ドラム３１を装置本体１０から取り出して、再度、第２種類の印刷ドラム３１を装置本体１０に装填すると、まず、第２制御部８２が作動する。
【００３６】
すなわち、まず、第２固有情報取り込み部８２１が作動して、印刷ドラム３１のインク容器７０のＲＦタグ７１の固有情報２０１が、リーダ３１３を介して、取り込まれる。次に、第１固有情報判定部８２２が作動して、取り込まれた固有情報２０１と同じ固有情報２０１が記憶部９２に記憶されているか否かが判定される。この際、記憶部９２には、第２種類の印刷ドラム３１のＲＦタグ７１の固有情報２０１が記憶されているので、判定結果は「記憶されている」となる。よって、次に、エラー情報判定部８２３が作動して、当該固有情報２０１に関連付けられたエラー情報２０２の内の「エラー有り」を示す情報が記憶部９２に記憶されているか否かが判定される。そして、エラー情報判定部８２３の判定結果が「記憶されている」である場合には、第１停止・警告部８２４が作動して、装置本体１０の駆動源９４が停止し又は警告を発する警告部９３が作動する。或いは、エラー情報判定部８２３の判定結果が「記憶されていない」である場合には、製版及び／又は印刷作業を実施することができる。
【００３７】
したがって、操作者は、装填した印刷ドラム３１にエラーが有ることを知ることができ、よって、エラーが有る場合には、エラー情報２０２が示すエラーを解消するための対応を行って、その後に、製版及び／又は印刷作業を実施することができる。したがって、ミスプリントの発生を防止できる。
【００３８】
次に、第２種類の印刷ドラム３１を用いて、通常の製版及び／又は印刷作業が実施される。
【００３９】
そして、第１制御部８１が作動する。すなわち、第１固有情報取り込み部８１１が作動して、印刷ドラム３１のインク容器７０のＲＦタグ７１の固有情報２０１が、リーダ３１３を介して、取り込まれる。次に、第１記憶実行部８１２が作動して、取り込まれた固有情報２０１が、記憶部９２に記憶される。次に、ドラム情報取り込み部８１３が作動して、印刷ドラム３１に関するドラム情報すなわちエラー情報２０２が取り込まれる。そして、第２記憶実行部８１４が作動して、取り込まれたエラー情報２０２が、第１記憶実行部８１２によって記憶された固有情報２０１に関連付けられて、記憶部９２に記憶される。なお、記憶部９２には、交換前の第２種類の印刷ドラム３１に関する、固有情報２０１及びエラー情報２０２が既に記憶されているので、ここで取り込まれたエラー情報２０２は、固有情報２０１に関連付けられて既に記憶されているエラー情報２０２を更新して記憶される。これにより、記憶部９２においては、現在、装填されている第２種類の印刷ドラム３１に関する、固有情報２０１及びエラー情報２０２が、記憶される。なお、「エラー」が無い場合には、第２記憶実行部８１４が作動して、「エラー無し」とするエラー情報２０２が、更新記憶される。
【００４０】
（４）第４の場合：第２種類の印刷ドラム３１から第１種類の印刷ドラム３１への交換
図２及び図３に示されるような作業を経ることによって、第２種類の印刷ドラム３１を装置本体１０から取り出して、第１種類の印刷ドラム３１を装置本体１０に装填すると、まず、第２制御部８２が作動する。
【００４１】
すなわち、まず、第２固有情報取り込み部８２１が作動して、印刷ドラム３１のインク容器７０のＲＦタグ７１の固有情報２０１が、リーダ３１３を介して、取り込まれる。次に、第１固有情報判定部８２２が作動して、取り込まれた固有情報２０１と同じ固有情報２０１が記憶部９２に記憶されているか否かが判定される。この際、記憶部９２には、以前の第１種類の印刷ドラム３１に関する、固有情報２０１及びエラー情報２０２が既に記憶されているので、判定結果は「記憶されている」となる。よって、次に、エラー情報判定部８２３が作動して、当該固有情報２０１に関連付けられたエラー情報２０２の内の「エラー有り」を示す情報が記憶部９２に記憶されているか否かが判定される。そして、エラー情報判定部８２３の判定結果が「記憶されている」である場合には、第１停止・警告部８２４が作動して、装置本体１０の駆動源９４が停止し又は警告を発する警告部９３が作動する。或いは、エラー情報判定部８２３の判定結果が「記憶されていない」である場合には、製版及び／又は印刷作業を実施することができる。
【００４２】
したがって、操作者は、装填した印刷ドラム３１にエラーが有ることを知ることができ、よって、エラーが有る場合には、エラー情報２０２が示すエラーを解消するための対応を行って、その後に、製版及び／又は印刷作業を実施することができる。したがって、ミスプリントの発生を防止できる。
【００４３】
次に、第１種類の印刷ドラム３１を用いて、通常の製版及び／又は印刷作業が実施される。
【００４４】
そして、第１制御部８１が作動する。すなわち、第１固有情報取り込み部８１１が作動して、印刷ドラム３１のインク容器７０のＲＦタグ７１の固有情報２０１が、リーダ３１３を介して、取り込まれる。次に、第１記憶実行部８１２が作動して、取り込まれた固有情報２０１が、記憶部９２に記憶される。次に、ドラム情報取り込み部８１３が作動して、印刷ドラム３１に関するドラム情報すなわちエラー情報２０２が取り込まれる。そして、第２記憶実行部８１４が作動して、取り込まれたエラー情報２０２が、第１記憶実行部８１２によって記憶された固有情報２０１に関連付けられて、記憶部９２に記憶される。なお、記憶部９２には、以前の第１種類の印刷ドラム３１に関する、固有情報２０１及びエラー情報２０２が既に記憶されているので、ここで取り込まれたエラー情報２０２は、固有情報２０１に関連付けられて既に記憶されているエラー情報２０２を更新して記憶される。これにより、記憶部９２においては、現在の装填されている第１種類の印刷ドラム３１に関する、固有情報２０１及びエラー情報２０２が、記憶される。なお、「エラー」が無い場合には、第２記憶実行部８１４が作動して、「エラー無し」とするエラー情報２０２が、更新記憶される。また、交換前の第１種類の印刷ドラム３１に関する、固有情報２０１及びエラー情報２０２は、そのまま、記憶部９２に記憶されたままとなる。
【００４５】
（５）その他の場合
同じ種類の印刷ドラム３１間の交換の場合は、上述した第３の場合と同様であり、異なる種類の印刷ドラム３１間の交換の場合は、上述した第２の場合又は第４の場合と同様である。但し、同じ種類の印刷ドラム３１間の交換の場合であっても、インク容器７０を交換した場合は、異なる種類の印刷ドラム３１間の交換の場合と同様であり、すなわち、上述した第２の場合又は第４の場合と同様である。
【００４６】
（効果）
以上のように、本実施形態の孔版印刷装置１によれば、次のような効果を発揮できる。
（１）印刷ドラム３１が装置本体１０に装填されると、必ず、第１制御部８１が作動して、印刷ドラム３１のインク容器７０のＲＦタグ７１の固有情報２０１と、印刷ドラム３１のエラー情報２０２とを、装置本体１０の記憶部９２に記憶できるので、印刷ドラム３１自体が記憶手段を備えていなくても、印刷ドラム３１のエラー情報２０２を保持でき、よって、そのエラー情報２０２を孔版印刷装置１の作動の制御に利用できる。
【００４７】
（２）印刷ドラム３１が別の種類の印刷ドラム３１に交換された場合でも、必ず、第１制御部８１が作動するので、当該別の種類の印刷ドラム３１に関する、固有情報２０１及びエラー情報２０２を、保持できる。
【００４８】
（３）同じ種類の印刷ドラム３１が、装置本体１０から取り外された後に再度装填された場合であって、インク容器７０が交換されていない場合において、取り外す前の印刷ドラム３１にエラーがあった場合には、操作者は、再度装填した印刷ドラム３１にもエラーがあることを知ることができる。よって、エラーを解消するための作業を行って、その後に、印刷作業を実施できる。したがって、印刷作業における不具合の継続発生を防止できる。
【００４９】
［第２実施形態］
（構成）
図８は、本実施形態の装置本体１０の内部構造のブロック図である。本実施形態の構成は、第１実施形態に比して、次の点のみが異なっている。
【００５０】
（ａ）ドラム情報が、印刷ドラム３１のエラー情報２０２ではなく、印刷ドラム３１に巻装されている製版原紙１１０に形成された画像のサイズ情報２０３である。なお、サイズ情報２０３は、(x)操作部９１から入力された情報、(y)装置本体１０に設けられた各種センサー（図示せず）から得られた情報、等に基づいて決定される。
【００５１】
（ｂ）制御部８が、第２制御部８２の代わりに、第３制御部８３を有している。第３制御部８３は、印刷ドラム３１が装填されると、第１制御部８１より先に作動するようになっている。そして、第３制御部８３は、印刷ドラム３１のインク容器７０のＲＦタグ７１の固有情報２０１を、リーダ３１３を介して、取り込む、第３固有情報取り込み部８３１と、取り込んだ固有情報２０１と同じ固有情報２０１が記憶部９２に記憶されているか否かを判定する、第２固有情報判定部８３２と、第２固有情報判定部８３２の判定結果が「記憶されている」である場合に、当該固有情報２０１に関連付けられたサイズ情報２０３が記憶部９２に記憶されているか否かを判定する、サイズ情報判定部８３３と、サイズ情報判定部８３３の判定結果が「記憶されている」であり、且つ、印刷開始の指示入力を受けた場合に、サイズ情報２０３に基づく製版原紙１１０に形成された画像のサイズと使用される印刷用紙１１１のサイズとを比較する、サイズ比較部８３４と、サイズ比較部８３４の比較結果が、製版原紙１１０に形成された画像のサイズが印刷用紙１１１のサイズより大きい場合に、装置本体１０の駆動源９４を停止し又は警告を発する警告部９３を作動させる、第２停止・警告部８３５と、を有している。なお、第３固有情報取り込み部８３１は、第１固有情報取り込み部８１１と共有化してもよい。
【００５２】
（作動）
（１）第１の場合：初期状態における印刷ドラム３１の装填
初期状態の孔版印刷装置１において、装置本体１０に、第１種類の印刷ドラム３１が装填されると、まず、第３制御部８３が作動する。
【００５３】
すなわち、まず、第３固有情報取り込み部８３１が作動して、印刷ドラム３１のインク容器７０のＲＦタグ７１の固有情報２０１が、リーダ３１３を介して、取り込まれる。次に、第２固有情報判定部８３２が作動して、取り込まれた固有情報２０１と同じ固有情報２０１が記憶部９２に記憶されているか否かが判定される。しかるに、この際、孔版印刷装置１は初期状態であるので、記憶部９２には、固有情報２０１は未だ記憶されていない。したがって、判定結果は「記憶されていない」となる。よって、サイズ情報判定部８３３、サイズ比較部８３４、及び第２停止・警告部８３５は、作動しない。
【００５４】
次に、第１種類の印刷ドラム３１を用いて、通常の製版及び／又は印刷作業が実施される。
【００５５】
そして、第１制御部８１が作動する。すなわち、第１固有情報取り込み部８１１が作動して、印刷ドラム３１のインク容器７０のＲＦタグ７１の固有情報２０１が、リーダ３１３を介して、取り込まれる。次に、第１記憶実行部８１２が作動して、取り込まれた固有情報２０１が、記憶部９２に記憶される。次に、ドラム情報取り込み部８１３が作動して、印刷ドラム３１に関するドラム情報すなわちサイズ情報２０３が取り込まれる。そして、第２記憶実行部８１４が作動して、取り込まれたサイズ情報２０３が、第１記憶実行部８１２によって記憶された固有情報２０１に関連付けられて、記憶部９２に記憶される。これにより、記憶部９２においては、現在の装填されている第１種類の印刷ドラム３１に関する、固有情報２０１及びサイズ情報２０３が、記憶される。
【００５６】
（２）第２の場合：第１種類の印刷ドラム３１から第２種類の印刷ドラム３１への交換
図２及び図３に示されるような作業を経ることによって、第１種類の印刷ドラム３１を装置本体１０から取り出して、第２種類の印刷ドラム３１を装置本体１０に装填すると、まず、第３制御部８３が作動する。なお、第１種類の印刷ドラム３１のインク容器７０と第２種類の印刷ドラム３１のインク容器７０とは、別物であるので、前者のインク容器７０のＲＦタグ７１の固有情報２０１と後者のインク容器７０のＲＦタグ７１の固有情報２０１とは、当然に、異なっている。
【００５７】
すなわち、まず、第３固有情報取り込み部８３１が作動して、印刷ドラム３１のインク容器７０のＲＦタグ７１の固有情報２０１が、リーダ３１３を介して、取り込まれる。次に、第２固有情報判定部８３２が作動して、取り込まれた固有情報２０１と同じ固有情報２０１が記憶部９２に記憶されているか否かが判定される。しかるに、この際、記憶部９２に記憶されている固有情報２０１は、第１種類の印刷ドラム３１のＲＦタグ７１の固有情報２０１であるので、判定結果は「記憶されていない」となる。よって、サイズ情報判定部８３３、サイズ比較部８３４、及び第２停止・警告部８３５は、作動しない。
【００５８】
次に、第２種類の印刷ドラム３１を用いて、通常の製版及び／又は印刷作業が実施される。
【００５９】
そして、第１制御部８１が作動する。すなわち、第１固有情報取り込み部８１１が作動して、印刷ドラム３１のインク容器７０のＲＦタグ７１の固有情報２０１が、リーダ３１３を介して、取り込まれる。次に、第１記憶実行部８１２が作動して、取り込まれた固有情報２０１が、記憶部９２に記憶される。次に、ドラム情報取り込み部８１３が作動して、印刷ドラム３１に関するドラム情報すなわちサイズ情報２０３が取り込まれる。そして、第２記憶実行部８１４が作動して、取り込まれたサイズ情報２０３が、第１記憶実行部８１２によって記憶された固有情報２０１に関連付けられて、記憶部９２に記憶される。これにより、記憶部９２においては、現在の装填されている第２種類の印刷ドラム３１に関する、固有情報２０１及びサイズ情報２０３が、記憶される。また、交換前の第１種類の印刷ドラム３１に関する、固有情報２０１及びサイズ情報２０３は、そのまま、記憶部９２に記憶されたままとなる。
【００６０】
（３）第３の場合：第２種類の印刷ドラム３１から第２種類の印刷ドラム３１への交換
図２及び図３に示されるような作業を経ることによって、第２種類の印刷ドラム３１を装置本体１０から取り出して、再度、第２種類の印刷ドラム３１を装置本体１０に装填すると、まず、第３制御部８３が作動する。但し、インク容器７０は交換しないこととする。
【００６１】
すなわち、まず、第３固有情報取り込み部８３１が作動して、印刷ドラム３１のインク容器７０のＲＦタグ７１の固有情報２０１が、リーダ３１３を介して、取り込まれる。次に、第２固有情報判定部８３２が作動して、取り込まれた固有情報２０１と同じ固有情報２０１が記憶部９２に記憶されているか否かが判定される。この際、記憶部９２には、第２種類の印刷ドラム３１のＲＦタグ７１の固有情報２０１が記憶されているので、判定結果は「記憶されている」となる。よって、次に、サイズ情報判定部８３３が作動して、当該固有情報２０１に関連付けられたサイズ情報２０３が記憶部９２に記憶されているか否かが判定される。この際、記憶部９２には、第２種類の印刷ドラム３１のサイズ情報２０３が記憶されているので、判定結果は「記憶されている」となる。次に、操作者によって、操作部９１から印刷開始の指示が入力されると、サイズ比較部８３４が作動して、サイズ情報２０３に基づく製版原紙１１０に形成された画像のサイズと使用される印刷用紙１１１のサイズとが比較される。そして、サイズ比較部８３４の比較結果が、製版原紙１１０に形成された画像のサイズが印刷用紙１１１のサイズより大きい場合には、第２停止・警告部８３５が作動して、装置本体１０の駆動源９４が停止し又は警告を発する警告部９３が作動する。また、サイズ比較部８３４の比較結果が、製版原紙１１０に形成された画像のサイズが印刷用紙１１１のサイズより小さい場合には、製版及び／又は印刷作業を実施することができる。
【００６２】
したがって、操作者は、印刷用紙１１１が不適切なサイズの印刷用紙１１１であることを、知ることができるので、印刷用紙１１１を、製版原紙１１０のサイズに適したサイズの印刷用紙１１１に、交換して、その後に、印刷作業を実施することができる。よって、印刷用紙１１１上に塗布されなかったインクによって印刷部３が汚れてしまうのを、防止できる。
【００６３】
次に、第２種類の印刷ドラム３１を用いて、通常の製版及び／又は印刷作業が実施される。
【００６４】
そして、第１制御部８１が作動する。すなわち、第１固有情報取り込み部８１１が作動して、印刷ドラム３１のインク容器７０のＲＦタグ７１の固有情報２０１が、リーダ３１３を介して、取り込まれる。次に、第１記憶実行部８１２が作動して、取り込まれた固有情報２０１が、記憶部９２に記憶される。次に、ドラム情報取り込み部８１３が作動して、印刷ドラム３１に関するドラム情報すなわちサイズ情報２０３が取り込まれる。そして、第２記憶実行部８１４が作動して、取り込まれたサイズ情報２０３が、第１記憶実行部８１２によって記憶された固有情報２０１に関連付けられて、記憶部９２に記憶される。なお、記憶部９２には、交換前の第２種類の印刷ドラム３１に関する、固有情報２０１及びサイズ情報２０３が既に記憶されているので、ここで取り込まれたサイズ情報２０３は、固有情報２０１に関連付けられて既に記憶されているサイズ情報２０３を更新して記憶される。これにより、記憶部９２においては、現在の装填されている第２種類の印刷ドラム３１に関する、固有情報２０１及びサイズ情報２０３が、記憶される。
【００６５】
（４）第４の場合：第２種類の印刷ドラム３１から第１種類の印刷ドラム３１への交換
図２及び図３に示されるような作業を経ることによって、第２種類の印刷ドラム３１を装置本体１０から取り出して、第１種類の印刷ドラム３１を装置本体１０に装填すると、まず、第３制御部８３が作動する。
【００６６】
すなわち、まず、第３固有情報取り込み部８３１が作動して、印刷ドラム３１のインク容器７０のＲＦタグ７１の固有情報２０１が、リーダ３１３を介して、取り込まれる。次に、第２固有情報判定部８３２が作動して、取り込まれた固有情報２０１と同じ固有情報２０１が記憶部９２に記憶されているか否かが判定される。この際、記憶部９２には、以前の第１種類の印刷ドラム３１に関する、固有情報２０１及びエラー情報２０２が既に記憶されているので、判定結果は「記憶されている」となる。よって、次に、サイズ情報判定部８３３が作動して、当該固有情報２０１に関連付けられたサイズ情報２０３が記憶部９２に記憶されているか否かが判定される。この際、記憶部９２には、当該固有情報２０１に関連付けられたサイズ情報２０３が記憶されているので、判定結果は「記憶されている」となる。次に、操作者によって、操作部９１から印刷開始の指示が入力されると、サイズ比較部８３４が作動して、サイズ情報２０３に基づく製版原紙１１０に形成された画像のサイズと使用される印刷用紙１１１のサイズとが比較される。そして、サイズ比較部８３４の比較結果が、製版原紙１１０に形成された画像のサイズが印刷用紙１１１のサイズより大きい場合には、第２停止・警告部８３５が作動して、装置本体１０の駆動源９４が停止し又は警告を発する警告部９３が作動する。また、サイズ比較部８３４の比較結果が、製版原紙１１０に形成された画像のサイズが印刷用紙１１１のサイズより小さい場合には、製版及び／又は印刷作業を実施することができる。或いは、サイズ情報判定部８３３の判定結果が「記憶されていない」である場合には、製版及び／又は印刷作業を実施することができる。
【００６７】
次に、第１種類の印刷ドラム３１を用いて、通常の製版及び／又は印刷作業が実施される。
【００６８】
そして、第１制御部８１が作動する。すなわち、第１固有情報取り込み部８１１が作動して、印刷ドラム３１のインク容器７０のＲＦタグ７１の固有情報２０１が、リーダ３１３を介して、取り込まれる。次に、第１記憶実行部８１２が作動して、取り込まれた固有情報２０１が、記憶部９２に記憶される。次に、ドラム情報取り込み部８１３が作動して、印刷ドラム３１に関するドラム情報すなわちサイズ情報２０３が取り込まれる。そして、第２記憶実行部８１４が作動して、取り込まれたサイズ情報２０３が、第１記憶実行部８１２によって記憶された固有情報２０１に関連付けられて、記憶部９２に記憶される。なお、記憶部９２には、以前の第１種類の印刷ドラム３１に関する、固有情報２０１及びサイズ情報２０３が既に記憶されているので、ここで取り込まれたサイズ情報２０３は、固有情報２０１に関連付けられて既に記憶されているサイズ情報２０３を更新して記憶される。これにより、記憶部９２においては、現在の装填されている第１種類の印刷ドラム３１に関する、固有情報２０１及びサイズ情報２０３が、記憶される。
【００６９】
（５）その他の場合
同じ種類の印刷ドラム３１間の交換の場合は、上述した第３の場合と同様であり、異なる種類の印刷ドラム３１間の交換の場合は、上述した第２の場合又は第４の場合と同様である。但し、同じ種類の印刷ドラム３１間の交換の場合であっても、インク容器７０を交換した場合は、異なる種類の印刷ドラム３１間の交換の場合と同様であり、すなわち、上述した第２の場合又は第４の場合と同様である。
【００７０】
本実施形態の孔版印刷装置１によれば、次のような効果を発揮できる。
（１）印刷ドラム３１が装置本体１０に装填されると、必ず、第１制御部８１が作動して、印刷ドラム３１のインク容器７０のＲＦタグ７１の固有情報２０１と、印刷ドラム３１に巻装されている製版原紙１１０のサイズ情報２０３とを、装置本体１０の記憶部９２に記憶できるので、印刷ドラム３１自体が記憶手段を備えていなくても、印刷ドラム３１に関するサイズ情報２０３を保持でき、よって、そのサイズ情報２０３を孔版印刷装置１の作動の制御に利用できる。
【００７１】
（２）印刷ドラム３１が別の種類の印刷ドラム３１に交換された場合でも、必ず、第１制御部８１が作動するので、当該別の種類の印刷ドラム３１に関する、固有情報２０１及びサイズ情報２０３を、保持できる。
【００７２】
（３）同じ種類の印刷ドラム３１が、装置本体１０から取り外された後に再度装填された場合であって、インク容器が交換されていない場合において、操作者は、印刷用紙１１１が不適切なサイズの印刷用紙１１１であることを、知ることができる。したがって、印刷用紙１１１上に塗布されなかったインクによって印刷部３が汚れてしまうのを、防止できる。
【００７３】
［第３実施形態］
（構成）
図９は、本実施形態の装置本体１０の内部構造のブロック図である。本実施形態の構成は、第１実施形態に比して、次の点のみが異なっている。
【００７４】
（ａ）インク容器７０のＲＦタグ７１には、インク容器７０に収容されているインクのインク色情報２０４が、記憶されている。
【００７５】
（ｂ）制御部８が、第１制御部８１及び第２制御部８２の代わりに、第４制御部８４及び第５制御部８５を有している。
【００７６】
第４制御部８４は、印刷ドラム３１が装填されると作動するようになっている。そして、第４制御部８４は、印刷ドラム３１のインク容器７０のＲＦタグ７１に記憶されているインク色情報２０４を、リーダ３１３を介して、取り込む、第１色情報取り込み部８４１と、取り込んだインク色情報２０４を、装置本体１０に設けられている記憶部９２に、最新のインク色情報２０４として記憶させる、第３記憶実行部８４２と、を有している。
【００７７】
第５制御部８５は、装置本体１０の電源がオンの状態すなわち電源スイッチ９５がオンの状態において、装填されている印刷ドラム３１のインク容器７０が別のインク容器７０に交換されると作動するようになっている。そして、第５制御部８５は、交換された別のインク容器７０のＲＦタグ７１に記憶されているインク色情報２０４を、印刷ドラム３１に設けられているリーダ３１３を介して、取り込む、第２色情報取り込み部８５１と、取り込んだインク色情報２０４が記憶部９２の最新のインク色情報２０４と一致するか否かを判定する、インク色判定部８５２と、インク色判定部８５２の判定結果が「不一致」である場合に、装置本体１０の駆動源９４を停止し又は警告を発する警告部９３を作動させる、第３停止・警告部８５３と、を有している。なお、第２色情報取り込み部８５１は、第１色情報取り込み部８４１と共有化してもよい。
【００７８】
（作動）
初期状態の孔版印刷装置１において、装置本体１０に、印刷ドラム３１が装填された場合、又は、既に装填されている印刷ドラム３１が装置本体１０から取り外され、同種の又は異種の印刷ドラム３１が装填された場合、まず、第４制御部８４が作動する。すなわち、まず、第１色情報取り込み部８４１が作動して、印刷ドラム３１のインク容器７０のＲＦタグ７１に記憶されているインク色情報２０４が、リーダ３１３を介して、取り込まれる。次に、第３記憶実行部８４２が作動して、取り込まれたインク色情報２０４が、装置本体１０に設けられている記憶部９２に、最新のインク色情報２０４として記憶される。
【００７９】
そして、装置本体１０の電源がオンの状態において、図５及び図６に示されるような作業を経ることによって、装填されている印刷ドラム３１のインク容器７０が別のインク容器７０に交換されると、第５制御部８５が作動する。すなわち、まず、第２色情報取り込み部８５１が作動して、交換された別のインク容器７０のＲＦタグ７１に記憶されているインク色情報２０４が、リーダ３１３を介して、取り込まれる。次に、インク色判定部８５２が作動して、取り込まれたインク色情報２０４が記憶部９２の最新のインク色情報２０４と一致するか否かが判定される。この際、交換された別のインク容器７０が異種のインク容器７０であった場合には、すなわち、交換された別のインク容器７０が交換前のインク容器７０とは異なるインク色を有していた場合には、判定結果が「不一致」となる。よって、第３停止・警告部８５３が作動して、装置本体１０の駆動源９４が停止し又は警告を発する警告部９３が作動する。
【００８０】
本実施形態の孔版印刷装置１によれば、次のような効果を発揮できる。
（１）印刷ドラム３１が装置本体１０に装填されると、必ず、第４制御部８４が作動して、印刷ドラム３１のインク容器７０のＲＦタグ７１のインク色情報２０４を、装置本体１０の記憶部９２に記憶できるので、印刷ドラム３１自体が記憶手段を備えていなくても、印刷ドラム３１に関するインク色情報２０４を保持でき、よって、そのインク色情報２０４を孔版印刷装置１の作動の制御に利用できる。
【００８１】
（２）装置本体１０の電源がオンの状態であり且つ印刷ドラム３１が装填されたままの状態において、インク容器７０を異種のインク容器７０に交換すると、第３停止・警告部８５３が作動して、装置本体１０の駆動源９４が停止し又は警告を発する警告部９３が作動するので、操作者は、インク容器７０の間違いに気付くことができる。したがって、間違ったインク容器７０を正しいインク容器７０に変えることができ、ミスプリントの発生を防止できる。
【００８２】
［別の実施形態］
（１）本発明は、第１、第２、及び第３実施形態の内の、任意の２つを兼ね備えるように組み合わせて構成してもよい。具体的には、次のとおりである。
【００８３】
(1-1)第１実施形態と第２実施形態とを組み合わせた場合
制御部８が、第１〜第３制御部８１、８２、８３を有し、記憶部９２には、固有情報２０１に関連付けられた、エラー情報２０２及びサイズ情報２０３が、記憶される。
【００８４】
(1-2)第１実施形態と第３実施形態とを組み合わせた場合
制御部８が、第１、第２、第４、及び第５制御部８１、８２、８４、８５を有し、記憶部９２には、固有情報２０１に関連付けられたエラー情報２０２と、最新のインク色情報２０４とが、記憶される。
【００８５】
(1-3)第２実施形態と第３実施形態とを組み合わせた場合
制御部８が、第１、第３、第４、及び第５制御部８１、８３、８４、８５を有し、記憶部９２には、固有情報２０１に関連付けられたサイズ情報２０３と、最新のインク色情報２０４とが、記憶される。
【００８６】
（２）本発明は、第１、第２、及び第３実施形態の全てを兼ね備えるように組み合わせて構成してもよい。具体的には、制御部８が、第１〜第５制御部８１、８２、８３、８４、８５を有し、記憶部９２には、固有情報２０１に関連付けられた、エラー情報２０２及びサイズ情報２０３と、最新のインク色情報２０４とが、記憶される。
【産業上の利用可能性】
【００８７】
本発明の孔版印刷装置は、印刷ドラム自体が記憶手段を備えていなくても、印刷ドラムに関するドラム情報を保持でき、よって、そのドラム情報を孔版印刷装置の作動の制御に利用できるので、産業上の利用価値が大である。
【符号の説明】
【００８８】
１  孔版印刷装置  １０  装置本体  ２０１  固有情報  ２０２  エラー情報
２０３  サイズ情報  ２０４  インク色情報  ３１  印刷ドラム  ３１３  リーダ
７０  インク容器  ７１  ＲＦタグ  ８１  第１制御部
８１１  第１固有情報取り込み部  ９２  記憶部  ８１２  第１記憶実行部
８１３  ドラム情報取り込み部  ８１４  第２記憶実行部  ８２  第２制御部
８２１  第２固有情報取り込み部  ８２２  第１固有情報判定部
８２３  エラー情報判定部  ８２４  第１停止・警告部  ８３  第３制御部
８３１  第３固有情報取り込み部  ８３２  第２固有情報判定部
８３３  サイズ情報判定部  ８３４  サイズ比較部  ８３５  第２停止・警告部
８４  第４制御部  ８４１  第１色情報取り込み部  ８４２  第３記憶実行部
８５  第５制御部  ８５１  第２色情報取り込み部  ８５２  インク色判定部
８５３  第３停止・警告部  ９３  警告部  ９４  駆動源  
【図１】
2015217661.tif 000003
【図２】
2015217661.tif 000004
【図３】
2015217661.tif 000005
【図４】
2015217661.tif 000006
【図５】
2015217661.tif 000007
【図６】
2015217661.tif 000008
【図７】
2015217661.tif 000009
【図８】
2015217661.tif 000010
【図９】
2015217661.tif 000011